(57)【要約】【課題】パワーアンプの冷却が十分に行われ、また、パワーアンプの活電部に手が触れる恐れがなく、しかも、良好な音質が得られるスピーカシステムを提供する。【解決手段】バスレフ形のエンクロージャ１内部にパワーアンプ３を配置するスピーカシステムにおいて、棒状部材で形成されるプロテクタ４をポート５のエンクロージャ１内部の開口部とパワーアンプ３との間に配置するようにしてエンクロージャ１に固定した。【選択図】        図１
2005269304.tif 000002
【特許請求の範囲】
【請求項１】
バスレフ形のエンクロージャ内部にパワーアンプを配置するスピーカシステムにおいて、棒状部材で形成されるプロテクタをポートのエンクロージャ内部の開口部と前記パワーアンプとの間に配置するようにして前記エンクロージャに固定したことを特徴とするスピーカシステム。
【請求項２】
前記棒状部材を外周に角を有しないように丸めた形状とした請求項１のスピーカシステム。
【請求項３】
前記棒状部材を丸棒で形成した請求項２のスピーカシステム。
【請求項４】
前記棒状部材をエンクロージャに設けた透孔に挿通させた請求項１から３のいずれかに記載したスピーカシステム。
【発明の詳細な説明】
【技術分野】
【０００１】
この発明はスピーカシステムに係わり、特に、エンクロージャ内部にパワーアンプを配置するスピーカシステムに関する。
【背景技術】
【０００２】
従来エンクロージャ内にパワーアンプを配置するスピーカシステムが知られており、このようなスピーカシステムの例を図５に示す。図５はエンクロージャ１の１側面（示す上方向の面）を除いて示す側面図である。図に示すスピーカ２は振動板の前面がエンクロージャ１の外部に向くようにエンクロージャ１に固定されている。
【０００３】
エンクロージャ１に固定されたポート５はエンクロージャ１の前面とエンクロージャ１内部の後端とに開口部を有する円筒形であり、エンクロージャ１の内部を外部との間を導通させている。
【０００４】
スピーカ２の振動板の前面側に発生する音の位相と後面に発生する音の位相は反転しているが、スピーカ２の後面側に発生する低音の位相は、エンクロージャ１内部を通りポート５から外部に放射されせる間に反転して前面側に発生する音と同相となり、低音域が増強される。
【０００５】
エンクロージャ１内部に配置されたパワーアンプ３は大電流をスピーカ１に供給するために発熱するが、ポート５を出入りする気流により冷却される。このようなスピーカシステムの例は実開昭６１−１４０６９１号公報に示されている。
【０００６】
上記した従来のスピーカシステムでは、パワーアンプ３をポート５を出入りする気流により冷却してその熱をエンクロージャ１外部に放出することができる。しかしながら、低域を再生するためのサブウーハシステムではポートの直径が７０ｍｍ以上になることも多く、その場合ポート内に大人の手でも容易に挿入できる。ポートに手が挿入された場合は、パワーアンプの活電部に手が触れる恐れがあり危険である。
【０００７】
この危険を回避するためにポート内部にプロテクタを配置する例があった。そのようなプロテクタの例を図６および図７に示す。この例ではプロテクタ７の円筒内部に格子状の金網で形成されたプロテクタ７ａが取付けられている。また、図８および図９に示す例では樹脂で成形されたプロテクタ８に板状のプロテクタ８ａが一体成形されている。上記したポート内部にプロテクタを配置したものは、プロテクタ内部の空気の流速が速いためプロテクタから風切り音が発生してエアノイズとなるという問題があった。
【０００８】
エンクロージャ内部にパワーアンプを配置する従来のスピーカシステムの他の例を図１０に示す。この例ではポート５とパワーアンプ３との間に板状のプロテクタ９が配置されている。他の構成は図５に示したものと同様であり、図５に示すものと同一の部材には同一の符号が付されており詳細な説明を省略する。
【０００９】
図１０に示すものは、パワーアンプの活電部に手が触れる危険を防止できるが、パワーアンプ３が気流で冷却されず、十分な冷却効果が得られない。また、ポート５への空気の流入が大きく妨げられるため、良好な音質が得られないという問題があった。
【特許文献１】実開昭６１−１４０６９１号公報、第６頁、第１図
【発明の開示】
【発明が解決しようとする課題】
【００１０】
この発明は上記した点に鑑みてなされたものであって、その目的とするところは、パワーアンプの冷却が十分に行われ、また、パワーアンプの活電部に手が触れる恐れがなく、しかも、良好な音質が得られるスピーカシステムを提供することにある。
【課題を解決するための手段】
【００１１】
この発明のスピーカシステムは、バスレフ形のエンクロージャ内部にパワーアンプを配置するスピーカシステムにおいて、棒状部材で形成されるプロテクタをポートのエンクロージャ内部の開口部と前記パワーアンプとの間に配置するようにして前記エンクロージャに固定したものである。
【００１２】
また、前記スピーカシステムにおいて、前記棒状部材を外周に角を有しないように丸めた形状としたものである。
【００１３】
また、前記スピーカシステムにおいて、前記棒状部材を丸棒で形成したものである。
【００１４】
また、前記各スピーカシステムにおいて、前記棒状部材をエンクロージャに設けた透孔に挿通させたものである。
【発明の効果】
【００１５】
この発明のスピーカシステムによれば、ポートの外側にポート内への空気の流入を妨げないように形成したプロテクタを設けることにより、ポート内に手を入れても、プロテクタに遮られてパワーアンプの活電部に手が触れることが防止される。
【００１６】
また、プロテクタはエンクロジャに固定するので、配置の自由度が高まる。さらに、プロテクタはエンクロジャ内にあるので外観に現れず意匠的に優れたものとなる。
【発明を実施するための最良の形態】
【００１７】
以下この発明を実施するための最良の形態を実施例に即して説明する。
【実施例１】
【００１８】
図１この発明の実施例１であるスピーカシステムの一部部材を除いて示す斜視図、図２は同スピーカシステムの一部部材を除いて示す側面図である。この例ではポート５とパワーアンプ３との間にプロテクタ４が配置されている。他の構成は図５に示したものと同様である。図１において、図５に示すものと同一の部材には同一の符号が付されており、その詳細な説明を省略する。
【００１９】
プロテクタ４は図３に詳しく示すように、丸棒４ａ、４ａ…が一平面内に配置するように固定されて形成されている。このようなプロテクタ４の端部をエンクロージャ１の側面に形成された穴と嵌合させてプロテクタ４がエンクロージャ１に固定されている。
【００２０】
このようにプロテクタ４が配置されているため、ポート５内に手を入れても、プロテクタ４に遮られてパワーアンプ３の活電部に手が触れることが防止される。そして、プロテクタ４の周囲を流れる気流はプロテクタ４内の気流より遅く、プロテクタが丸棒で形成されているため風切り音が発生しない。また、プロテクタが丸棒で形成されているため、加工が簡単である。パワーアンプ３の冷却効果および音質の向上は図５で説明したものと同様である。
【００２１】
図４はこの発明の実施例２であるスピーカシステムの一部部材を除いて示す斜視図である。図４において、図５に示すものと同一の部材には同一の符号が付されておりその詳細な説明を省略する。
【００２２】
この例ではプロテクタ６がエンクロージャ１の図示向こう側の側板の穴から差し込まれた丸棒６ａ、６ａ…により形成されている。エンクロージャ１の図示手前側の側板は図示を省略しているが、丸棒６ａ、６ａ…の先端に対応する位置に凹みが形成されており、丸棒６ａ、６ａ…の先端はその凹みに嵌合している。
【００２３】
このように、エンクロージャ１で一平面上に固定された丸棒６ａ、６ａ…で形成されたプロテクタ６は実施例１のプロテクタと同様の作用を有するが、この丸棒６ａ、６ａ…はエンクロージャ１の両側板が組み付けられた後に取付けられるので組み立て作業が容易になる。
【００２４】
実施例は以上のように構成されているが発明はこれに限られず、例えば、エンクロージャを構成する丸棒を一平面上に配置する代わりに千鳥状に配置してもよい。
【図面の簡単な説明】
【００２５】
【図１】この発明の実施例１であるスピーカシステムの一部部材を除いて示す斜視図である。
【図２】同スピーカシステムの一部部材を除いて示す側面図である。
【図３】同スピーカシステムの部材を示す斜視図である。
【図４】この発明の実施例２であるスピーカシステムの一部部材を除いて示す斜視図である。
【図５】従来のスピーカシステムの例を一部部材を除いて示す側面図である。
【図６】従来のスピーカシステムに用いられた部材の例を示す斜視図である。
【図７】同部材を示す断面図である。
【図８】従来のスピーカシステムに用いられた他の部材の例を示す斜視図である。
【図９】同部材を示す断面図である。
【図１０】従来のスピーカシステムの他の例を一部部材を除いて示す側面図である。
【符号の説明】
【００２６】
１  エンクロージャ
２  スピーカ
３  パワーアンプ
４  プロテクタ、４ａ  丸棒
５  ポート
６  プロテクタ、６ａ  丸棒
７  ポート、７ａ  プロテクタ
８  ポート、８ａ  プロテクタ
９  プロテクタ
【図１】
2005269304.tif 000003
【図２】
2005269304.tif 000004
【図３】
2005269304.tif 000005
【図４】
2005269304.tif 000006
【図５】
2005269304.tif 000007
【図６】
2005269304.tif 000008
【図７】
2005269304.tif 000009
【図８】
2005269304.tif 000010
【図９】
2005269304.tif 000011
【図１０】
2005269304.tif 000012